(57)【特許請求の範囲】
【請求項１】
チューブ容器に被せるキャップであって、筒状の外筒と開口の注出ノズルを有する本体部と、筒状の外筒と内面に注出ノズルを密閉する嵌合部を有する蓋部とを一体に連結したヒンジ部をもつ合成樹脂材でできたヒンジキャップを備えたキャップ付きチューブ容器において、前記注出ノズルの先端付近は先端に向うにつれて外方へ突出した先端部が形成され、前記先端部の外周と嵌着する箇所の前記嵌合部の内周は内方へ突出した突出部を設けるとともに、断面視において、前記嵌合部の内壁と天板部裏面が接する線のコーナー部分にＲ１．０以上のＲ部を形成し、前記嵌合部の内側に位置する天板部の裏面には、前記天板部裏面と接合する前記Ｒ部側から内側へと中央に向うにつれて略ドーム型に突出した蓋体裏面突出部を設け、前記本体部と前記蓋部が嵌着した時に前記先端部の上端と前記Ｒ部の最も凹んでいる端部の間に空間を設けたことを特徴とするキャップ付きチューブ容器。
【請求項２】
開口の注出ノズルを有するチューブ容器と、前記注出ノズルを密閉する嵌合部を有し、天板部と前記天板部の周縁から垂下した側壁部を形成した蓋部をもつ合成樹脂材でできたキャップであって、前記注出ノズルの先端付近は先端に向うにつれて外方へ突出した先端部が形成され、前記先端部の外周と嵌着する箇所の前記嵌合部の内周は内方へ突出した突出部を設けるとともに、断面視において、前記嵌合部の内壁と天板部裏面が接する線のコーナー部分にＲ１．０以上のＲ部を形成し、前記嵌合部の内側に位置する天板部の裏面には、前記天板部裏面と接合する前記Ｒ部側から内側へと中央に向うにつれて略ドーム型に突出した蓋体裏面突出部を設け、前記チューブ容器と前記蓋部が嵌着した時に前記先端部の上端と前記Ｒ部の最も凹んでいる端部の間に空間を設けたことを特徴とするキャップ付きチューブ容器。
【請求項３】
前記先端部の最も外方に位置する端部は、前記突出部の最も内方に位置する端部より外方へ突出していることを特徴とする請求項１または請求項２に記載のキャップ付きチューブ容器。
【請求項４】
前記先端部の嵌合部に接する側の先端部は逆三角形で突出する形状を形成し、前記逆三角形に突出した嵌合部に接する側の先端部はＲ０．３以下のコーナーＲを形成することを特徴とする請求項１乃至請求項３のいずれか１項に記載のキャップ付きチューブ容器。
【発明の詳細な説明】
【技術分野】
【０００１】
本発明は、粘性のある歯みがきなどを収容したチューブ容器に対して、キャップ裏面などに付着した内容物の挟み込みによるキャップ開閉不具合を解消したキャップ付きチューブ容器に関るものである。
【背景技術】
【０００２】
従来からある内容物に歯みがきなどの粘性を収容した倒立チューブ容器として、頂板と口部に対する装着筒と、この装着筒の外側に形成された外筒とを有するものが特許文献１に記載されている。
【０００３】
また、キャップ内筒部からはみ出るのを防止して汚れが目立たないようにできる内筒部キャップ付きチューブ容器として、注出ノズル先端部及び内筒部内に残留した内容物を注出ノズル内に押し戻し可能な液密摺動部を備えたものが特許文献２に記載されている。
【先行技術文献】
【特許文献】
【０００４】
【特許文献１】特開平８−２８２６９１号公報
【特許文献２】特開２００９−２３７２４号公報
【発明の概要】
【発明が解決しようとする課題】
【０００５】
特許文献１の倒立チューブ容器は、小蓋裏面に形成された栓筒と短筒とで注出口を挟み込んで閉じるようにしているので、粘性のある歯みがきなどを使用する場合、チューブ本体を摘んで内容物を注出口から外へ出し歯ブラシなどに絞りだして使用するので、その場合に粘性のある歯みがきなどは、注出口の出口付近に付着したり、注出口となるノズルの外壁に回り込んで付着してしまう。この状態で、小蓋を閉じると小蓋裏面に形成された栓筒と短筒の間に歯磨きなどの内容物が入り込んでしまい、その付着量が多いとさらに栓筒や短筒を乗り越えて周りに付着したり、注出口となるノズルの外壁にも盛り上がった状態で付着してしまうことになる。この状態を繰り返していると、栓筒と短筒の間に入り込んだ歯みがきなどの内容物は乾いてしまい固形物化してしまうため、小蓋が閉まりにくくなる問題があった。更に、内容物に粒状の固形物、例えば塩などを練り込んだ歯みがきなどを使用した場合、塩粒が栓筒と短筒の間に入り込んでしまうと、小蓋が閉まらなくなる状態になってしまう。
【０００６】
そこで、キャップ内筒部からはみ出るのを防止して汚れを目立たないようにできるキャップ付きチューブ容器として特許文献２が考案されている。しかし、特許文献２の液密摺動部は内筒部の内壁に付着した内容物を上に押し上げる役目で設けられているが、押し上げられた内容物は注出口の天面に乗りあがり、キャップ天板部の裏面側に設置している突起からなるシール部でせき止められて、液密摺動部の上面側とシール部の側面の間に挟まれた少量の内容物はそこで滞留してしまうことになる。そのようになると、例えば、塩などの粒状のものを一緒に内容物に練り込んだものを使用した場合には、液密摺動部の上面側とシール部の側面の間で滞留してしまい、その状態で内容物がその場で乾いてしまい固形物化してしまうので、キャップが閉まらなくなる状態は特許文献１と同じで発生している。
【０００７】
本発明の目的は、上記課題を解決し、内容物に塩などの粒状のものを練り込んだ粘性のある歯みがきなどを収容した場合においても、キャップ裏面などに付着した内容物の挟み込みによるキャップ開閉不具合を発生させないキャップ付きチューブ容器を提供することである。
【課題を解決するための手段】
【０００８】
本発明は、チューブ容器に被せるキャップであって、筒状の外筒と開口の注出ノズルを有する本体部と、筒状の外筒と内面に注出ノズルを密閉する嵌合部を有する蓋部とを一体に連結したヒンジ部をもつ合成樹脂材でできたヒンジキャップを備えたキャップ付きチューブ容器において、前記注出ノズルの先端付近は先端に向うにつれて外方へ突出した先端部が形成され、前記先端部の外周と嵌着する箇所の前記嵌合部の内周は内方へ突出した突出部を設けるとともに、断面視において、前記嵌合部の内壁と天板部裏面が接する線のコーナー部分にＲ１．０以上のＲ部を形成し、前記嵌合部の内側に位置する天板部の裏面には、前記天板部裏面と接合する前記Ｒ部側から内側へと中央に向うにつれて略ドーム型に突出した蓋体裏面突出部を設け、前記本体部と前記蓋部が嵌着した時に前記先端部の上端と前記Ｒ部の最も凹んでいる端部の間に空間を設けたキャップ付きチューブ容器である。
【０００９】
本発明は、開口の注出ノズルを有するチューブ容器と、前記注出ノズルを密閉する嵌合部を有し、天板部と前記天板部の周縁から垂下した側壁部を形成した蓋部をもつ合成樹脂材でできたキャップであって、前記注出ノズルの先端付近は先端に向うにつれて外方へ突出した先端部が形成され、前記先端部の外周と嵌着する箇所の前記嵌合部の内周は内方へ突出した突出部を設けるとともに、断面視において、前記嵌合部の内壁と天板部裏面が接する線のコーナー部分にＲ１．０以上のＲ部を形成し、前記嵌合部の内側に位置する天板部の裏面には、前記天板部裏面と接合する前記Ｒ部側から内側へと中央に向うにつれて略ドーム型に突出した蓋体裏面突出部を設け、前記チューブ容器と前記蓋部が嵌着した時に前記先端部の上端と前記Ｒ部の最も凹んでいる端部の間に空間を設けたキャップ付きチューブ容器である。
【００１０】
本発明は、前記先端部の最も外方に位置する端部は、前記突出部の最も内方に位置する端部より外方へ突出しているキャップ付きチューブ容器である。
【００１１】
本発明は、前記先端部の嵌合部に接する側の先端部は逆三角形で突出する形状を形成し、前記逆三角形に突出した嵌合部に接する側の先端部はＲ０．３以下のコーナーＲを形成するキャップ付きチューブ容器である。
【発明の効果】
【００１２】
本発明は、チューブ容器に被せるキャップであって、筒状の外筒と開口の注出ノズルを有する本体部と、筒状の外筒と内面に注出ノズルを密閉する嵌合部を有する蓋部とを一体に連結したヒンジ部をもつ合成樹脂材でできたヒンジキャップを備えたキャップ付きチューブ容器において、前記注出ノズルの先端付近は先端に向うにつれて外方へ突出した先端部が形成され、前記先端部の外周と嵌着する箇所の前記嵌合部の内周は内方へ突出した突出部を設けるとともに、断面視において、前記嵌合部の内壁と天板部裏面が接する線のコーナー部分にＲ１．０以上のＲ部を形成し、前記嵌合部の内側に位置する天板部の裏面には、前記天板部裏面と接合する前記Ｒ部側から内側へと中央に向うにつれて略ドーム型に突出した蓋体裏面突出部を設け、前記本体部と前記蓋部が嵌着した時に前記先端部の上端と前記Ｒ部の最も凹んでいる端部との間に空間を設けたキャップ付きチューブ容器であるので、コーナー部分にＲ１．０以上のＲ部を形成させ、先端部と蓋部裏面の間にできるだけ広めの空間を設けることで、蓋部裏面に付着した内容物をコーナー付近に集めることで内容物の乾きを遅らせる効果を有する。また、集められた内容物は再び次の内容物がその場に集められる過程を繰り返すことで、内へ内へと押し出されるとともに、コーナー付近に集められた内容物は、ある程度の重みに達すると蓋体裏面突出部の傾斜の効果が作用して注出口の方に流れていくようになるキャップ付きチューブ容器を提供することである。
【００１３】
また、本発明は、開口の注出ノズルを有するチューブ容器と、前記注出ノズルを密閉する嵌合部を有し、天板部と前記天板部の周縁から垂下した側壁部を形成した蓋部をもつ合成樹脂材でできたキャップであって、前記注出ノズルの先端付近は先端に向うにつれて外方へ突出した先端部が形成され、前記先端部の外周と嵌着する箇所の前記嵌合部の内周は内方へ突出した突出部を設けるとともに、断面視において、前記嵌合部の内壁と天板部裏面が接する線のコーナー部分にＲ１．０以上のＲ部を形成し、前記嵌合部の内側に位置する天板部の裏面には、前記天板部裏面と接合する前記Ｒ部側から内側へと中央に向うにつれて略ドーム型に突出した蓋体裏面突出部を設け、前記チューブ容器と前記蓋部が嵌着した時に前記先端部の上端と前記Ｒ部の最も凹んでいる端部の間に空間を設けたキャップ付きチューブ容器であるので、コーナー部分にＲ１．０以上のＲ部を形成させ、先端部と蓋部裏面の間にできるだけ広めの空間を設けることで、蓋部裏面に付着した内容物をコーナー付近に集めることで内容物の乾きを遅らせる効果を有する。また、集められた内容物は再び次の内容物がその場に集められる過程を繰り返すことで、内へ内へと押し出されるとともに、コーナー付近に集められた内容物は、ある程度の重みに達すると蓋体裏面突出部の傾斜の効果が作用して注出口の方に流れていくようになるキャップ付きチューブ容器を提供することである。
【００１４】
更に、本発明は、前記先端部の最も外方に位置する端部は、前記突出部の最も内方に位置する端部より外方へ突出しているキャップ付きチューブ容器であるので、より嵌合性に優れたキャップ付きチューブ容器を提供することができる。
【００１５】
また、本発明は、前記先端部の嵌合部に接する側の先端部は逆三角形で突出する形状を形成し、前記逆三角形に突出した嵌合部に接する側の先端部はＲ０．３以下のコーナーＲを形成するキャップ付きチューブ容器であるので、粘性のある歯みがきなどを収容した場合において、注出ノズルの先端部が嵌合部内壁に付着した内容物を注出口方向へ押し上げ嵌合部の内壁に付着していた内容物を取り除くスクレーパー機能を発揮することができるキャップ付きチューブ容器を提供することである。
【図面の簡単な説明】
【００１６】
【図１】本発明の実施形態を示すキャップの斜視図である。
【図２】図１に示すキャップの断面図である。
【図３】図２に示すＸ部分である注出ノズルを拡大した断面図である。
【図４】図２に示すＹ部分である嵌合部を拡大した断面図である。
【図５】図２に示すキャップを閉じてチューブ本体へセットした状態を示す断面図である。
【図６】図５に示すＺ部分を拡大した断面図である。
【図７】本発明の異なる実施形態を示すキャップとチューブ本体の断面図である。
【図８】図７に示すＺ１部分を拡大した断面図である。
【発明を実施するための形態】
【００１７】
図１乃至図４において、本発明のキャップ付きチューブ容器Ａは、チューブ容器７に被せるポリプロピレン、ポリエチリン樹脂等からなる合成樹脂を利用して射出成形にて成形したヒンジキャップである。前記ヒンジキャップは本体部１が、筒状の外筒１ｂと天板部１ａを有し前記天板部１ａから外方へ突出し開口した注出ノズル４で構成されている。また、前記ヒンジキャップの蓋部２は筒状の外筒２ｂと天板部２ａを有し、前記天板部２ａ裏面には前記注出ノズル４を密閉するための嵌合部５を構成している。更に、前記本体部１と前記蓋部２とは３点ヒンジ機能やバタフライヒンジ機能などの構造で一体に連結したヒンジ部３で接続されているヒンジキャップである。図５に示すようにヒンジ部３の反対位置となる蓋部２側の天板部２ａの延長上に、前記蓋部を開閉しやすくするために突出したつば部６を形成している。
【００１８】
図３は図２に示すＸ部分を拡大した拡大図であるが、前記注出ノズル４の先端付近は先端に向うにつれて外方へ突出した先端部４ａが形成されている。前記先端部４ａは本体部１へ蓋部２が被さって際に、前記嵌合部５の内周面に付着した内容物をこそげとるスクレーパーの役目を有するため、前記先端部４ａの形状については、逆三角形の片辺のように細く尖っているような形状が効果を有する。しかし、前記蓋部２の嵌合のしやすさを考慮すると、前記先端部４ａの最も尖って突出した箇所にＲ０．５以下のコーナーＲを形成することで、嵌着性とスクレーパー機能の両方の機能を持たすことが可能になる。
【００１９】
また、図４は図２に示すＹ部分を拡大した拡大図である。前記先端部４ａは本体部１へ蓋部２が被さって際に前記先端部４ａの外周と嵌着する箇所の前記蓋部２天板部２ａの裏面に設置される嵌合部５である。前記嵌合部５には前記嵌合部５の内周面に内方へ突出させた突出部５ａを設けることで、図５または図６に示すように前記本体部１へ前記蓋部２を被せて嵌着させようとした時に、前記先端部４ａが前記突出部５ａを乗り越えた状態で嵌合されるので、気密性を保つ構造のキャップ付きチューブ容器Ａを提供することができる。
【００２０】
更に、前記先端部４ａの最も外方に位置する端部は、前記突出部５ａの最も内方に位置する端部よりほんの少し外方へ突出させることで、より嵌合性に優れた製品を提供することができる。また、粘性のある歯みがきなどを収容した場合においては、注出ノズル４の先端部４ａが嵌合部５の内周に付着した内容物を取り除きながら、内容物を前記先端部４ａでこそぎあげて注出口付近の蓋部２の天板部２ａ裏面と先端部４ａの間に設けられた空間５ｃへ内容物を移動させていく。蓋部２裏面に付着してしまう内容物をなるべく乾かないようにした状態で注出口方向に移動させるためには、図６に示すように前記空間５ｃは出来るだけ広く、前記嵌合部５の内壁と天板部２ａ裏面が接するコーナー部分は丸めて形成するのが望ましい。前記空間５ｃの適正なスペースとしては、前記本体部１へ蓋部２が被さって嵌着された状態の時に、前記先端部４ａの上端と前記Ｒ部５ｂの最も凹んでいる端部との空間距離を０．８ｍｍ以上空くように設置するのが望ましい。
【００２１】
また、図５または図６に示すように断面視において、前記嵌合部５の内壁と天板部２ａ裏面が接する線のコーナー部分に内容物が入り込まないように、前記コーナーへＲ１．０以上のＲ部５ｂを形成するとよい。前記空間５ｃと前記コーナー部分にＲ部５ｂを形成することで、これにより、コーナー部分の角の隙間に内容物が入り込んだままで乾いてしまうことはなくなり、また、蓋部２裏面に付着した内容物をＲ部５ｂ付近に集めることで、集められた内容物は再び次の内容物がその場に集められる過程を繰り返すことで、新しく付着した水分を含んだ内容物が、以前付着した内容物の上に付着することで以前付着していた内容物は水分を吸収し乾きが緩和されることで、内容物に潤いが戻り柔らかくなり内へ内へと押し入れられて、内容物を注出口付近へ移動させることが可能になる。
【００２２】
更に、前記嵌合部５の内側に位置する蓋部２の天板部２ａ裏面には、前記天板部２ａ裏面と接合するＲ部５ｂ側から内側へと中央に向うにつれて突出した蓋体裏面突出部５ｄを設けることで、天板部２ａ裏面に付着した内容物を前記蓋体裏面突出部５ｄの傾斜が注出口の方へ誘導させる機能を持たせたキャップ付きチューブ容器Ａを提供することができる。前記蓋体裏面突出部５ｄの形状についてはドーム型に突出させたり、なだらかな円錐に形成しても良い。前記蓋体裏面突出部５ｄの中心部分を突出させることで、コーナー付近に集められた内容物は、ある程度の重みに達すると蓋体裏面突出部５ｄの傾斜の効果が作用して注出口付近へ移動させる効果が増す。
【００２３】
図７または図８は本発明の異なる実施形態である。図８は図７のＺ１部分を拡大した図であるが、前記注出ノズル４をチューブ容器７１の注出口部分に形成するものである。また、蓋部２１はシングルキャップであり、前記注出ノズル４を密閉する嵌合部５を有しており、本発明の機能をするものである。
【００２４】
本発明のキャップ付きチューブ容器Ａ、Ａ１は、特に内容物に塩などの粒状のものを練り込んだ粘性のある歯みがきなどを収容したものに対して効果を発揮するものであり、従来のキャップでは、塩などの小さい粒が練り込まれている場合に、キャップを嵌合させるために設けられた嵌合部５の隙間に入り込んでしまった塩粒が、逃げ場を失い嵌合部５の角へ追いやられ詰まることで、蓋部２が閉まらなくなる現象が発生していた。しかし、本発明のキャップ付きチューブ容器Ａ、Ａ１は、注出ノズル４の先端部４ａが嵌合部５内壁に付着した内容物を注出口方向へ押し上げ嵌合部５の内壁に付着していた内容物を取り除くことができる。また、前記先端部４ａで押し上げられた内容物は前記先端部４ａと前記蓋部２裏面の間にもうけられた空間５ｃへ移し、注出口の先端付近や前記先端部４ａと前記嵌合部５裏面が接合するＲ部５ｂ付近で厚みのある状態で滞留することで内容物の乾きを緩和させることができる。更に、ドーム型などに前記蓋体裏面突出部５ｄの中心部分を突出させることで、Ｒ部５ｂ付近に集められた内容物は、ある程度の重みに達すると蓋体裏面突出部５ｄの傾斜の効果が作用して注出口付近へ移動させることができる。よって、内容物に塩などの粒状のものを練り込んだ粘性のある歯みがきなどを収容した場合においても、蓋部２裏面などに付着した内容物の挟み込みによるキャップ開閉不具合を発生させることがないキャップ付きチューブ容器Ａ、Ａ１を提供することができる。
【符号の説明】
【００２５】
１      本体部
１ａ    天板部
１ｂ    外筒
２      蓋部
２１    蓋部
２ａ    天板部
２ｂ    外筒
３      ヒンジ部
４      注出ノズル
４ａ    先端部
５      嵌合部
５ａ    突出部
５ｂ    Ｒ部
５ｃ    空間
５ｄ    蓋体裏面突出部
６      つば部
７      チューブ容器
７１    チューブ容器
Ａ      キャップ付きチューブ容器
Ａ１    キャップ付きチューブ容器
【図１】
0005495705.tif 000002
【図２】
0005495705.tif 000003
【図３】
0005495705.tif 000004
【図４】
0005495705.tif 000005
【図５】
0005495705.tif 000006
【図６】
0005495705.tif 000007
【図７】
0005495705.tif 000008
【図８】
0005495705.tif 000009